(57)【要約】      （修正有）【課題】子供でも簡単に組み立てることができ、教材などとして用いるのに適したカード形砂時計の組立キットを提供する。【解決手段】カード形砂時計の組立キット１では、背板５の表面に枠板６を取り付けて相互に連通している二つの凹部を形成し、これら凹部の間に調節部材８を取り付けると共に、凹部に砂２を入れ、しかる後に、凹部を前板７で封鎖すれば、二つの砂留まり室３１、３２および砂落下用の連通路３３を備えたカード形砂時計３を組み立てることができる。それ故、小学生などの子供でも簡単に組み立てることができ、図画工作用の教材などとして用いる場合に適している。【選択図】図１
0003110474.tif 000002
【実用新案登録請求の範囲】
【請求項１】
矩形形状の背板と、
この背板の表面に取り付けて、当該表面に、相互に連通している二つの凹部を形成するための扁平な枠板と、
前記凹部の間の砂落下用の連通路の開口量を調節するために、前記凹部の間に取り付ける調節部材と、
前記凹部に入れる砂と、
砂が入れられた前記凹部を封鎖して、二つの砂溜まり室を形成するための前板とを有していることを特徴とするカード形砂時計の組立キット。
【請求項２】
請求項１において、
前記枠板を前記背板の表面に接着すると共に、前記前板を前記枠板の表面に接着するために用いる、接着剤、両面テープなどの接着部材を有していることを特徴とするカード形時計の組立キット。
【請求項３】
請求項１または２において、
前記背板および前記枠板の少なくとも一方は、これらの部品を機械的に係合させて結合するための係合部を備えていることを特徴とするカード形時計の組立キット。
【請求項４】
請求項１ないし３のうちのいずれかの項において、
前記枠板および前記前板の少なくとも一方は、これらの部品を機械的に係合させて結合するための係合部を備えていることを特徴とするカード形砂時計の組立キット。
【請求項５】
請求項１ないし４のうちのいずれかの項において、
前記背板は、透明板あるいは、表面が鏡面となっているものであることを特徴とするカード形砂時計の組立キット。
【請求項６】
請求項１ないし５のうちのいずれかの項において、
前記枠板の輪郭形状と前記前板の輪郭形状が同一であり、
前記枠板の輪郭に合わせて前記前板を取り付けることを特徴とするカード形砂時計の組立キット。
【請求項７】
請求項１ないし６のうちのいずれかの項において、
前記枠板として、前記背板の表面に線対称の状態で取り付ける同一形状の少なくとも二枚の枠板を備えていることを特徴とするカード形砂時計の組立キット。
【請求項８】
請求項１ないし６のうちのいずれかの項において、
前記枠板として、異なる形状の少なくとも二枚の枠板を備えていることを特徴とするカード形砂時計の組立キット。
【請求項９】
請求項７または８において、
隣接配置される前記枠板には、着脱可能な状態で相互に連結するためのジョイント部が形成されていることを特徴とするカード形砂時計の組立セット。
【請求項１０】
請求項７または８において、
各枠板には、前記連通路を形成するための貫通穴が形成されており、
各枠板は、各貫通穴が開口している端面が一定間隔で対峙する状態で前記背板の表面に取り付けられ、
これら枠板の間に、前記調節部材をはめ込むようになっていることを特徴とするカード形砂時計の組立キット。
【請求項１１】
請求項１０において、
前記調節部材は大きさの異なる複数の穴を備えており、
前記枠板の間に嵌め込まれた状態において、スライドあるいは回転させることにより、前記枠板の前記貫通穴に対峙する穴を変更可能となっていることを特徴とするカード形砂時計の組立キット。
【請求項１２】
請求項１ないし１１のうちのいずれかの項において、
前記砂はシリカゲル製であり、
前記前板はアクリル樹脂製であることを特徴とするカード形砂時計の組立セット。
【請求項１３】
請求項１ないし１２のうちのいずれかの項において、
組み立てたカード形砂時計を収納可能なケースを有し、
このケースは、収納されている前記カード形砂時計を、一方の前記砂溜まり室から他方の前記砂溜まり室に砂が落下する姿勢に立てるためのスタンドとして機能することを特徴とするカード形砂時計の組立セット。
【請求項１４】
請求項１ないし１３のうちのいずれかの項において、
前記背板の背面あるいは端面には、吸着盤、吸着シートなどの吸着固定部材が取り付けられていることを特徴とするカード形砂時計の組立セット。
【考案の詳細な説明】
【技術分野】
【０００１】
本考案はカード形砂時計に関するものであり、特に、子供でも簡単に組み立てることができ、教材として使用するのに適したカード形砂時計の組立キットに関するものである。
【背景技術】
【０００２】
砂時計として、持ち運びなどに便利なカード形をした扁平な砂時計が提案されている。例えば、特許文献１にこのようなカード形砂時計が提案されている。
【特許文献１】実開平５−６５４００号公報
【考案の開示】
【考案が解決しようとする課題】
【０００３】
本考案の課題は、子供でも簡単に組み立てることができ、教材などとして用いるのに適したカード形砂時計の組立キットを提案することにある。
【課題を解決するための手段】
【０００４】
上記の課題を解決するために、本考案のカード形砂時計の組立キットは、矩形形状の背板と、この背板の表面に取り付けて、当該表面に、相互に連通している二つの凹部を形成するための扁平な枠板と、前記凹部の間の砂落下用の連通路の開口量を調節するために、前記凹部の間に取り付ける調節部材と、前記凹部に入れる砂と、砂が入れられた前記凹部を封鎖して、二つの砂溜まり室を形成するための前板とを有していることを特徴としている。
【０００５】
ここで、前記枠板を前記背板の表面に接着すると共に、前記前板を前記枠板の表面に接着するために用いる、接着剤、両面テープなどの接着部材もセットにされていることが望ましい。
【０００６】
この代わりに、前記背板および前記枠板の少なくとも一方を、これらの部品を機械的に係合させて結合するための係合部を備えた構成にすることも可能である。同様に、前記枠板および前記前板の少なくとも一方を、これらの部品を機械的に係合させて結合するための係合部を備えた構成にすることも可能である。
【０００７】
背板としては透明板を用いることができる。また、表面が鏡面となっているものを用いることもできる。
【０００８】
次に、前記枠板の輪郭形状と前記前板の輪郭形状を同一に形成し、前記枠板の輪郭に合わせて前記前板を取り付けて、砂が入れられた凹部を封鎖するように構成してもよい。
【０００９】
また、前記枠板として、前記背板の表面に線対称の状態で取り付ける同一形状の二枚の枠板を備えた構成を採用することも可能である。勿論、異なる形状の複数枚の枠板を備えた構成とすることもできる。
【００１０】
複数枚の枠板を用いる場合には、それらを連結するためのジョイントを形成しておけば、それらの組み付けが簡単にできるので好ましい。
【００１１】
また、各枠板に、前記連通路を形成するための貫通穴を形成し、各枠板を、各貫通穴が開口している端面が一定間隔で対峙する状態で前記背板の表面に取り付ける。このようにすれば、これら枠板の間に、前記調節部材をはめ込むことができる。
【００１２】
前記調節部材としては大きさの異なる複数の穴を備えた構成を採用することができる。このように構成すると、前記枠板の間に嵌め込まれた状態において、スライドあるいは回転させて、前記枠板の前記貫通穴に対峙する穴を変更すれば、砂落下用の連通路の開口量を調節することができ、落下する砂の量を調節することができる。
【００１３】
あるいは、調節部材に穴を形成せずに、前記調節部材を、前記枠板の間に嵌め込まれた状態において、スライドあるいは回転させることにより、当該調節部材と前記枠板の前記貫通穴との重なり面積を変えて、砂落下用の連通路の開口量を調節するようにしてもよい。
【００１４】
次に、前記砂は、シリカゲル製であり、前記前板は、アクリル樹脂製であることが望ましい。このように構成すると、帯電により砂が落下しないなどの弊害を防止できる。
【００１５】
次に、組み立てたカード形砂時計を収納可能なケースを有していることが望ましい。このケースは、組み立てたカード形砂時計を保護する以外に、収納されている前記カード形砂時計を、一方の前記砂溜まり室から他方の前記砂溜まり室に砂が落下する姿勢に立てるためのスタンドとしての機能も有していることが望ましい。
【００１６】
カード形砂時計を立てた状態(すなわち、砂が一方の砂溜まり室から他方の砂溜まり室に落下可能な姿勢に保持する状態)にするためには、背板の背面や端面に、吸着シート、吸着盤などのように、壁面などの任意の表面に吸着固定可能な吸着固定部材を取り付けておいてもよい。
【考案の効果】
【００１７】
本考案のカード形砂時計の組立キットでは、背板の表面に枠板を取り付けて相互に連通している二つの凹部を形成し、これら凹部の間に調節部材を取り付けると共に、凹部に砂を入れ、しかる後に、凹部を前板７で封鎖すれば、二つの砂留まり室および砂落下用の連通路を備えたカード形砂時計を組み立てることができるので、小学生などの子供でも簡単に組み立てることができる。それ故、本考案のカード形砂時計の組立キットは、小学生向けの図画工作用の教材などとして用いる場合に適している。
【考案を実施するための最良の形態】
【００１８】
以下に、図面を参照して、本考案を適用したカード形砂時計の組立キットの一例を説明する。
【００１９】
［実施の形態１］
図１は、本考案の実施の形態１に係るカード形砂時計の組立キットを組み立てた状態の斜視図である。この図に示すように、本例のカード形砂時計の組立キット１は、砂２が溜まる２つの砂溜まり室３１、３２と、これら砂溜まり室３１、３２を繋いでいる砂落下用の連通路３３とを備えたカード形砂時計３を組み立てることができるキットである。また、組み立てたカード形砂時計３を収納可能なケース４もセットにされている。
【００２０】
ケース４は、一般に市販されている金属製の名刺入れ等と同一構造であり、ケース本体４１と、このケース本体４１に対して開閉可能な状態に取り付けられたケース蓋４２とを備えている。ケース本体４１は、カード形砂時計３の側方部分を収納可能なポケット４１１を備えている。このポケット４１１の端部には連結ロッド４３が取り付けられており、ケース蓋４２は、この連結ロッド４３を中心として回転可能な状態でケース本体４１の側に支持されている。ここで、本例のケース４は、組み立てたカード形砂時計３を保護する以外に、収納されているカード形砂時計３を立てるためのスタンドとしても機能する。すなわち、ケース４は、図１に示すようにケース蓋４２を半開き状態にすると立てることができるので、そこにカード形砂時計３を差し込めば、カード形砂時計３を、一方の砂溜まり室３１から他方の砂溜まり室３２に砂２が落下する姿勢に立てることができる。
【００２１】
（カード形砂時計３）
図２は、カード形砂時計３の組み立て方の説明図である。図３(ａ)は組み立てたカード形砂時計３の正面図であり、図３(ｂ)は(ａ)のＡ−Ａ線で切断した部分の概略断面図である。これらの図も参照して説明すると、カード形砂時計３のキット内容は、砂２、背板５、扁平な枠板６、前板７、および砂落下用の連通路３３の開口量を調節するための調節部材８となっている。また、枠板６を背板の表面５ａに接着すると共に、前板７を枠板６の表面６ａに接着するために用いる、接着剤、両面テープなどの接着部材(図示せず)もセットにされている。
【００２２】
背板５は、アルミニウムやステンレススチールなどの矩形形状の金属板であり、４つの縁を前側に折り曲げた端板部分５１、５２、５３、５４を備えている。
【００２３】
枠板６は、背板５の端板部分５１〜５４の内側に丁度嵌まる寸法に設定されており、その表面５ａに線対称の状態で取り付ける同一形状の二枚の枠板６１、６２を備えている。各枠板６１、６２には、砂落下用の連通路３３を形成するための貫通穴６１１、６２１が形成されている。各枠板６１、６２は、各貫通穴６１１、６２１が開口している端面６１１ａ、６２１ａが一定間隔で対峙する状態で背板５の表面５ａに取り付けられ、これら枠板６１、６２の間に、調節部材８がはめ込まれる。よって、背板５の表面５ａには、調節部材８を介して相互に連通している二つの凹部９１、９２が形成されることになる。
【００２４】
前板７は、枠板６１、６２の輪郭形状と同一の輪郭形状の二枚の透明板７１、７２と、これら透明板７１、７２を連結している連結板７３とを備えている。前板７は、背板５の表面５ａに形成された凹部９１、９２を封鎖するように、枠板６(６１、６２)の輪郭に合わせて取り付けられる。これにより、二つの砂溜まり室３１、３２が形成される。なお、前板７を取り付ける前に、凹部９１、９２に砂２を入れておく。
【００２５】
調節部材８は、枠板６１、６２の間を端面６１１ａ、６２１ａに沿ってスライド可能に嵌め込まれたスライド板であり、当該スライド方向に沿って形成された大きさの異なる複数の穴８１を備えている。調節部材８をスライドさせて、枠板６１、６２の貫通孔６１１、６２１に対峙する穴８１を変更することにより、砂落下用の連通路３３の開口量を調節することができるので、落下する砂２の量を調節することができる。また、前板７の連結板７１が押さえとなって、調節部材８が前方に抜けてしまうことを規制している。
【００２６】
調節部材８の後面部分８ａには、各穴８１に対応する位置にそれぞれ、係合溝８２が形成されている。また、背板５の表面５ａには、係合溝８２に嵌め込み可能な係合突起５５が形成されている。係合突起５５に係合させる係合溝８２を選択することにより、調節部材８を各位置に固定でき、穴８１を連通路３３内に確実に位置させることができる。
【００２７】
ここで、本例では、枠板６および前板７としてアクリル樹脂製のものを用いており、砂２としてシリカゲル製のものを用いている。すなわち、アクリル樹脂製はマイナスに帯電するので、砂２もマイナスに帯電するシリカゲル製のものを用いている。勿論、帯電により砂２が落下しないなどの弊害を防止できれば、それらを他の材料とすることも可能である。
【００２８】
以上説明したように、本例のカード形砂時計の組立キット１では、背板５の表面５ａに枠板６を取り付けて相互に連通している二つの凹部９１、９２を形成し、これら凹部９１、９２の間に調節部材８を取り付けると共に、凹部９１、９２に砂２を入れ、しかる後に、凹部９１、９２を前板７で封鎖すれば、二つの砂留まり室３１、３２および砂落下用の連通路３３を備えたカード形砂時計３を組み立てることができるので、小学生などの子供でも簡単に組み立てることができる。また、マジックインキ(登録商標)などを用いて、前板７にサイン画像などを描いたりすれば、オリジナルの砂時計を製作することもできる。それ故、本例のカード形砂時計の組立キット１は、小学生向けの図画工作用の教材などとして用いる場合に適している。
【００２９】
なお、上記形態では、調節部材８として、大きさの異なる複数の穴８１が形成されたスライド板を用いて、連通路３３内に位置させる穴８１を切り替えることにより、連通路３３の開口量を調節していたが、例えば、スライド板に穴を形成せずに、スライド板をスライドさせて、当該スライド板と枠板６１、６２の貫通孔６１１、６２１(連通路３３)との重なり面積を変えることにより、連通路３３の開口量を調節して、落下する砂２の量を調節することも可能である。
【００３０】
また、上記形態では、枠板６を接着部材により背板５の表面５ａに接着していたが、背板５および枠板６の少なくとも一方に、これらの部品を機械的に係合させて結合するための係合部を形成して、背板５と枠板６とを結合してもよい。同様に、枠板６および前板７の少なくとも一方に、これらの部品を機械的に係合させて結合するための係合部として、枠板６と前板７とを結合してもよい。
【００３１】
［実施の形態２］
図４(ａ)は本考案の実施の形態２に係るカード形砂時計の組立キットを組み立てた状態の正面図であり、図４(ｂ)は(ａ)のＢ−Ｂ線で切断した部分の概略断面図である。なお、本例および後述する実施の形態３のカード形砂時計は、基本的な構成が実施の形態１と共通しているので、対応する部分には同一の符号を付してそれらの説明を省略する。
【００３２】
本例のカード形砂時計３Ａも、背板５の表面５ａに枠板６を取り付けて相互に連通している二つの凹部９１、９２を形成し、これら凹部９１、９２の間に調節部材８Ａを取り付けると共に、凹部９１、９２に砂２を入れ、しかる後に、凹部９１、９２を前板７で封鎖することにより、組み立てられたものである。しかるに、調節部材８Ａとして、スライド板の代わりに、回転可能な円盤を用いている点が相違している。
【００３３】
調節部材８Ａは、枠板６１、６２の間に掛け渡された回転軸８６によって回転可能に支持され、当該回転方向に沿って外周縁部分に形成された大きさの異なる複数の穴８７を備えている。調節部材８Ａを回転させて、枠板６１、６２の貫通孔６１１、６２１に対峙する穴８７を変更することにより、砂落下用の連通路３３の開口量を調節することができるので、落下する砂２の量を調節することができる。
【００３４】
調節部材８Ａの外周面部分には、各穴８７に対応する位置にそれぞれ、係合溝８８が形成されている。また、背板５の表面５ａには、係合溝８８に嵌め込み可能な係合突起５５ａが形成されている。係合突起５５ａに係合させる係合溝８８を選択することにより、調節部材８Ａを各回転位置に固定でき、穴８７を連通路３３内に確実に位置させることができる。
【００３５】
［実施の形態３］
図５(ａ)は本考案の実施の形態３に係るカード形砂時計の組立キットを組み立てた状態の正面図であり、図５(ｂ)は(ａ)のＣ−Ｃ線で切断した部分の概略断面図である。この図に示すように、本例のカード形砂時計３Ｂは、背板５Ｂ、枠板６Ｂ、および前板７Ｂをこの順番に積層して、それぞれの間を接着剤、両面テープなどの接着部材(図示せず)を用いて接着することにより、組み立てられたものである。
【００３６】
背板５Ｂは、アルミニウムやステンレススチールなどの矩形形状の金属板である。
【００３７】
枠板６Ｂは、背板５Ｂと輪郭形状が同一に形成されたアクリル樹脂製の矩形枠板であり、左右の垂直枠の中央部分が内側に三角形状に膨出した形状を有している。したがって、枠板６Ｂを背板５Ｂに取り付けると、背板５Ｂの表面には、相互に連通している二つの凹部９１Ｂ、９２Ｂが形成される。
【００３８】
前板７Ｂは、枠板６Ｂ(背板５Ｂ)と輪郭形状が同一に形成されたアクリル樹脂製の矩形板であり、凹部９１Ｂ、９２Ｂを封鎖するように、枠板６Ｂの輪郭に合わせて取り付けられる。これにより、連通路３３Ｂによって相互に連通している二つの砂溜まり室３１Ｂ、３２Ｂが形成される。なお、前板７Ｂを取り付ける前に、凹部９１Ｂ、９２Ｂに砂２を入れておく。この砂２も、上記形態と同様、シリカゲル製のものである。
【００３９】
ここで、本例の砂落下用の連通路３３Ｂは、上記形態の砂落下用の連通路よりも幅が広く形成されており、ここには、対角線の長さが連通路３３Ｂの幅寸法よりも僅かに小さい正方形の回転体８Ｂが背板５Ｂと前板７Ｂの間に挟まれて回転可能な状態で保持されている。この回転体８Ｂの背面部分には所定深さの長方形の開口部８９が形成されている。この開口部８９に、背板５Ｂに形成した貫通孔５６を介して、マイナスドライバーなどを差し込んで回転させることにより、回転体８Ｂの姿勢を自由に変えられるようになっている。したがって、回転体８Ｂの姿勢を変えることによって、連通路３３の開口量を調節することができるので、落下する砂２の量を調節することができる。それ故、本例の回転体８Ｂは調節部材として機能する。
【００４０】
なお、本例では、回転体８Ｂとして、正方形のものを用いたが、連通路３３の開口量を調節することができるものであれば、例えば、六角形や八角形などの多角形、楕円のものも用いることができる。
【００４１】
［その他の実施の形態］
図６ないし図１１には、本考案によるカード形砂時計の各種形態を示してある。
【００４２】
図６、７および図８、９には、上記の各例とは異なる形状の枠板を備えたカード形砂時計を示してある。また、これらの枠板においては、上下の枠板を相互に連結するためのジョイント１００、１０１が形成されている。背板の表面において、それに直交する方向から一方の枠板のジョイント１００ａ、１０１ａに対して、他方の枠板のジョイント１００ｂ、１０１ｂを着脱可能な状態ではめ込むことが可能となっている。このような相補的な形状のジョイントを形成しておくことにより、枠板の位置決め、および組み付け作業が簡単になるという利点がある。
【００４３】
また、図１０、１１には、これらに組み込み可能な調節部材の二例を示してある。図１０に示す調節部材１１０では、丸孔を備えており、それらの両端部分には面取りが施されて、砂が落ち易くなっている。また、面取りを行うことにより、調節部材と枠板の間に砂が入り込むことを防止する効果も得られる。図１１に示す調節部材１２０は長孔を備えており、両端には面取りが施されている。
【図面の簡単な説明】
【００４４】
【図１】本考案の実施の形態１に係る砂時計の組立キットを組み立てた状態の斜視図である。
【図２】カード形砂時計の組み立て方の説明図である。
【図３】(ａ)は組み立てたカード形砂時計の正面図であり、(ｂ)は(ａ)のＡ−Ａ線で切断した部分の概略断面図である。
【図４】(ａ)は本考案の実施の形態２に係るカード形砂時計の組立キットを組み立てた状態の正面図であり、(ｂ)は(ａ)のＢ−Ｂ線で切断した部分の概略断面図である。
【図５】(ａ)は本考案の実施の形態３に係るカード形砂時計の組立キットを組み立てた状態の正面図であり、(ｂ)は(ａ)のＣ−Ｃ線で切断した部分の概略断面図である。
【図６】カード形砂時計の別の例を示す斜視図、正面図、平面図および側面図である。
【図７】図６の枠板を示す斜視図、正面図、平面図および側面図である。
【図８】カード形砂時計の別の例を示す斜視図、正面図、平面図および側面図である。
【図９】図８の枠板を示す斜視図、正面図、平面図および側面図である。
【図１０】調節部材の例を示す斜視図、正面図、平面図および側面図である。
【図１１】調節部材の例を示す斜視図、正面図、平面図および側面図である。
【符号の説明】
【００４５】
１  カード形砂時計の組立キット
２  砂
３、３Ａ、３Ｂ  カード形砂時計
３１、３２、３１Ｂ、３２Ｂ  砂溜まり室
３３、３３Ｂ  砂落下用の連通路
４  ケース
５、５Ｂ  背板
５ａ  背板の表面
６、６１、６２、６Ｂ  枠板
６ａ  枠板の表面
６１１、６１２  貫通穴
６１１ａ、６１２ａ  貫通穴が開口している端面
７、７Ｂ  前板
８、８Ａ、８Ｂ  調節部材
８１、８７  穴
９１、９２、９１Ｂ、９２Ｂ  凹部
【図１】
0003110474.tif 000003
【図２】
0003110474.tif 000004
【図３】
0003110474.tif 000005
【図４】
0003110474.tif 000006
【図５】
0003110474.tif 000007
【図６】
0003110474.tif 000008
【図７】
0003110474.tif 000009
【図８】
0003110474.tif 000010
【図９】
0003110474.tif 000011
【図１０】
0003110474.tif 000012
【図１１】
0003110474.tif 000013